(57)【要約】【課題】ケーシングの内側に生じた空きスペースを、表示装置の取り付け箇所として有効に活用することができる照明装置を提供する。【解決手段】天井側に取り付けられて下方に向かい内側が開口するケーシング１１を備え、その内側に延出部１４が一体に形成され、延出部１４は、光源２０を組み付ける部位の他に、表示装置３０を取り付けることが可能な取付空間１７を有している。【選択図】図１
2014049263.tif 000002
【特許請求の範囲】
【請求項１】
天井側に取り付けられて下方に向かい内側が開口するケーシングを備え、該ケーシングに組み付けられた光源からの直接光がケーシングの内側で反射され、該反射された間接光によりケーシングの外側を少なくとも間接的に照らす照明装置において、
前記ケーシングの内側の所定箇所より、下方に向かって一体に延出して、前記光源が所定の配光向きに組み付けられると共に、該光源からの直接光のうち下方に向かう照射範囲の一部を遮る延出部を備え、
前記延出部は、前記光源を組み付ける部位の他に、各種情報を表示可能な表示装置を取り付けるための取付空間を有することを特徴とする照明装置。
【請求項２】
前記延出部の取付空間は、下方を向く開口溝と、該開口溝の内側に拡がる内部空隙を備え、前記表示装置を、前記内部空隙に収納した状態に取り付けると共に、前記表示装置の画面を、前記開口溝より下方に露出させることを特徴とする請求項１に記載の照明装置。
【請求項３】
前記延出部の取付空間は、下方を向く開口溝と、該開口溝の内側に拡がる内部空隙を備え、前記表示装置の上端側を保持する保持手段を、前記内部空隙に収納した状態に取り付けると共に、前記表示装置の本体を、前記開口溝より下方に垂下させることを特徴とする請求項１に記載の照明装置。
【請求項４】
前記ケーシングは、長尺に延びる同一断面の形状であって、その長手方向に延びる中央部より両側に拡がり互いに平行に延びる両側部は、それぞれ徐々に下向きに湾曲した円弧形断面に形成されて、該円弧形断面の内側が反射面となり、
前記延出部は、前記ケーシングの長手方向に延びる同一断面の形状であって、前記中央部から一対の側壁リブが左右対称に下方に向かい鉛直より上向きの角度で互いに離隔するように垂下し、それぞれの下端に上向きに湾曲した円弧断面の底壁リブが連結してなり、
前記一対の底壁リブの互いに対向した端縁間の隙間が前記取付空間の開口溝となり、前記一対の側壁リブおよび底壁リブで囲まれた内側が前記取付空間の内部空隙となり、
前記一対の側壁リブの外面に沿って、前記光源を長手方向に並べて組み付けることを特徴とする請求項２または３に記載の照明装置。
【請求項５】
前記ケーシングは、長尺に延びる同一断面の形状であって、その長手方向に延びる中央部より両側に拡がり互いに平行に延びる両側部は、それぞれ徐々に下向きに湾曲した円弧形断面に形成されて、該円弧形断面の内側が反射面となり、
前記延出部は、前記ケーシングの長手方向に延びる同一断面の形状であって、前記中央部から一対の側壁リブが左右対称に下方に向かい鉛直より上向きの角度で互いに離隔するように垂下し、それぞれの下端に上向きに湾曲した円弧断面の底壁リブが連結してなり、
前記一対の底壁リブの下面側に沿って、各底壁リブの互いに対向した端縁間の隙間を塞ぐ状態で前記表示装置を展開するように取り付け、
前記一対の側壁リブの外面に沿って、前記光源を長手方向に並べて組み付けることを特徴とする請求項１に記載の照明装置。
【請求項６】
前記延出部の取付空間には、前記表示装置に加えて、香りを放出する芳香器も取り付けることを特徴とする請求項１，２，３，４または５に記載の照明装置。
【発明の詳細な説明】
【技術分野】
【０００１】
本発明は、天井側に取り付けられるケーシングを備え、該ケーシングに組み付けられた光源からの直接光がケーシングの内側で反射され、該反射された間接光によりケーシングの外側を少なくとも間接的に照らす照明装置に関し、特に鉄道車両等の乗物の客室内における照明に用いられるものである。
【背景技術】
【０００２】
従来より、鉄道車両等の乗物の客室内に用いる照明装置としては、蛍光管やＬＥＤ等の光源の直接光により客室内を照らす直接照明方式と、間接光により客室内を照らす間接照明方式とがある。本件出願人も、特許文献１に示すように、溶融滴下を防止することで安全性に優れた間接照明方式の照明装置を既に提案している。また、これに関連して配光制御を工夫した別の照明装置も、未だ出願公開前であるが特願２０１１−２３６２４１号として既に出願している。
【０００３】
ところで、鉄道車両の客室内には、前述の照明装置とは別に表示装置が設けられていることが多い。このような表示装置として例えば特許文献２には、列車の走行距離に応じ列車の現在位置を表す標識を表示する情報表示装置が開示されている。このような表示装置は、各種情報を表示可能なように大型化される傾向があり、例えば車内のドアの上部に設置されていた。
【０００４】
前記表示装置は、前述の照明装置とは全く関係なく客室内に設けられるものであり、また、照明装置も、本来の目的である照明だけに用をなすものであった。すなわち、従来一般の照明装置、特に直接照明方式のものでは、これを表示装置と兼用させて活用するような発想は全くなく、また、表示装置を取り付けるようなスペース的な余裕もなかった。
【先行技術文献】
【特許文献】
【０００５】
【特許文献１】特開２０１２−０１７０９０号公報
【特許文献２】特開平１０−２８７２４３号公報
【発明の概要】
【発明が解決しようとする課題】
【０００６】
しかしながら、前述した特許文献１に開示された照明装置や、特願２０１１−２３６２４１号として出願された照明装置では、従来一般の照明装置とは異なり、光源を組み込むケーシングの内側には光源からの直接光を遮るための構造（受け部）があり、この構造も含めてケーシングの内側にスペース的な余裕があった。そのため、ケーシングの内側における空きスペースの有効活用が望まれていた。
【０００７】
また、表示装置に関しては、前述した特許文献２に開示された構成のように、特別な配設スペースが必要となるため、照明装置が設けられている箇所には設置することができないという取り付け上の制約があった。よって、照明装置がなく比較的スペース的にも余裕があるドア上部に設置されていたため、表示装置により提供される情報を享受できるのは、ドア付近の乗客に限られるという問題もあった。
【０００８】
本発明は、以上のような従来の技術の有する問題点に着目してなされたものであり、照明装置におけるケーシングの内側に生じた空きスペースを、表示装置の取り付け箇所として有効に活用することができ、また、表示装置を客室内のどの位置にいる乗客からも容易に視認できるようにし、さらに、照明装置に表示装置という付加価値を加えることにより、商品価値を高めることができると共に新たな情報提供も可能となる照明装置を提供することを目的としている。
【課題を解決するための手段】
【０００９】
前述した目的を達成するための本発明の要旨とするところは、以下の各項の発明に存する。  
［１］天井側に取り付けられて下方に向かい内側が開口するケーシング（１１）を備え、該ケーシング（１１）に組み付けられた光源（２０）からの直接光がケーシング（１１）の内側で反射され、該反射された間接光によりケーシング（１１）の外側を少なくとも間接的に照らす照明装置（１０，１０Ａ，１０Ｂ）において、
前記ケーシング（１１）の内側の所定箇所より、下方に向かって一体に延出して、前記光源（２０）が所定の配光向きに組み付けられると共に、該光源（２０）からの直接光のうち下方に向かう照射範囲の一部を遮る延出部（１４）を備え、
前記延出部（１４）は、前記光源（２０）を組み付ける部位の他に、各種情報を表示可能な表示装置（３０，４０）を取り付けるための取付空間（１７）を有することを特徴とする照明装置（１０，１０Ａ，１０Ｂ）。
【００１０】
［２］前記延出部（１４）の取付空間（１７）は、下方を向く開口溝（１７ａ）と、該開口溝（１７ａ）の内側に拡がる内部空隙（１７ｂ）を備え、前記表示装置（３０）を、前記内部空隙（１７ｂ）に収納した状態に取り付けると共に、前記表示装置（３０）の画面を、前記開口溝（１７ａ）より下方に露出させることを特徴とする［１］に記載の照明装置（１０，１０Ａ）。
【００１１】
［３］前記延出部（１４）の取付空間（１７）は、下方を向く開口溝（１７ａ）と、該開口溝（１７ａ）の内側に拡がる内部空隙（１７ｂ）を備え、前記表示装置（３０）の上端側を保持する保持手段（３３）を、前記内部空隙（１７ｂ）に収納した状態に取り付けると共に、前記表示装置（３０）の本体を、前記開口溝（１７ａ）より下方に垂下させることを特徴とする［１］に記載の照明装置（１０，１０Ａ）。
【００１２】
［４］前記ケーシング（１１）は、長尺に延びる同一断面の形状であって、その長手方向に延びる中央部（１２）より両側に拡がり互いに平行に延びる両側部（１３，１３）は、それぞれ徐々に下向きに湾曲した円弧形断面に形成されて、該円弧形断面の内側が反射面（１３ａ）となり、
前記延出部（１４）は、前記ケーシング（１１）の長手方向に延びる同一断面の形状であって、前記中央部（１２）から一対の側壁リブ（１５）が左右対称に下方に向かい鉛直より上向きの角度で互いに離隔するように垂下し、それぞれの下端に上向きに湾曲した円弧断面の底壁リブ（１６）が連結してなり、
前記一対の底壁リブ（１６）の互いに対向した端縁間の隙間が前記取付空間（１７）の開口溝（１７ａ）となり、前記一対の側壁リブ（１５）および底壁リブ（１６）で囲まれた内側が前記取付空間（１７）の内部空隙（１７ｂ）となり、
前記一対の側壁リブ（１５）の外面に沿って、前記光源（２０）を長手方向に並べて組み付けることを特徴とする［２］または［３］に記載の照明装置（１０，１０Ａ）。
【００１３】
［５］前記ケーシング（１１）は、長尺に延びる同一断面の形状であって、その長手方向に延びる中央部（１２）より両側に拡がり互いに平行に延びる両側部（１３，１３）は、それぞれ徐々に下向きに湾曲した円弧形断面に形成されて、該円弧形断面の内側が反射面（１３ａ）となり、
前記延出部（１４）は、前記ケーシング（１１）の長手方向に延びる同一断面の形状であって、前記中央部（１２）から一対の側壁リブ（１５）が左右対称に下方に向かい鉛直より上向きの角度で互いに離隔するように垂下し、それぞれの下端に上向きに湾曲した円弧断面の底壁リブ（１６）が連結してなり、
前記一対の底壁リブ（１６）の下面側に沿って、各底壁リブ（１６）の互いに対向した端縁間の隙間を塞ぐ状態で前記表示装置（４０）を展開するように取り付け、
前記一対の側壁リブ（１５）の外面に沿って、前記光源（２０）を長手方向に並べて組み付けることを特徴とする［１］に記載の照明装置（１０Ｂ）。
【００１４】
［６］前記延出部（１４）の取付空間（１７）には、前記表示装置（３０，４０）に加えて、香りを放出する芳香器も取り付けることを特徴とする［１］，［２］，［３］，［４］または［５］に記載の照明装置（１０，１０Ａ，１０Ｂ）。
【００１５】
次に、前述した解決手段に基づく作用を説明する。  
前記［１］に記載の照明装置（１０，１０Ａ，１０Ｂ）によれば、天井側に取り付けたケーシング（１１）は下方に向かい内側が開口する。このケーシング（１１）に光源（２０）が組み付けられており、光源（２０）からの直接光はケーシング（１１）の内側で反射され、この反射された間接光によりケーシング（１１）の下方を間接的に照らす。これにより、光源（２０）からのグレアを低減することができ、間接照明としての演出効果を高めることができる。
【００１６】
ケーシング（１１）の内側では、所定箇所より延出部（１４）が下方に向かって一体に延出しており、この延出部（１４）に光源（２０）は所定の配光向きに組み付けられる。そして、光源（２０）からの直接光のうち、ケーシング（１１）の開口より下方に向かう照射範囲の一部は、延出部（１４）によって遮られる。このため、光源（２０）からの直接光が天井の下方に向かって直接照射されることはない。ここで延出部（１４）や反射面（１３ａ）となるケーシング（１１）の内側の形状を工夫することにより、主に間接光の照射に関して目的や用途に応じた様々な配光制御が可能となる。
【００１７】
しかも、前記延出部（１４）は、単に光源（２０）を組み付けるための部位や、直接光（ないし間接光）を遮るための配光制御の部位であるだけでなく、各種情報を表示可能な表示装置（３０，４０）を取り付けるための取付空間（１７）を有している。これにより、ケーシング（１１）の内側における延出部（１４）の取付空間（１７）を、予め確保された空きスペースとして、表示装置（３０，４０）を取り付けるための用途に有効活用することができる。
【００１８】
前記延出部（１４）の取付空間（１７）は、具体的には例えば前記［２］に記載したように、下方を向く開口溝（１７ａ）と、該開口溝（１７ａ）の内側に拡がる内部空隙（１７ｂ）を備えるものである。これにより、表示装置（３０）を内部空隙（１７ｂ）に収納した状態に取り付けると共に、表示装置（３０）の画面（３２）を開口溝（１７ａ）より下方に露出させるような取り付け態様が可能となる。これにより、照明装置（１０，１０Ａ，１０Ｂ）を表示装置（３０）としても活用することができる。
【００１９】
あるいは、表示装置（３０）の別の取り付け態様として、例えば前記［３］に記載したように、表示装置（３０）の上端側を保持する保持手段（３３）を、前記内部空隙（１７ｂ）に収納した状態に取り付けると共に、前記表示装置（３０）の本体を、前記開口溝（１７ａ）より下方に垂下させるように取り付けても良い。なお、前記保持手段（３３）は、表示装置（３０）の上端側を留めることができるものであれば何でも良く、例えば表示装置（３０）の上端側を吊り下げるフック等が該当する。
【００２０】
前記［４］に記載の照明装置（１０，１０Ａ）によれば、前記ケーシング（１１）は、長尺に延びる同一断面の形状であって、その長手方向に延びる中央部（１２）より両側に拡がり互いに平行に延びる両側部（１３，１３）は、それぞれ徐々に下向きに湾曲した円弧形断面に形成されて、該円弧形断面の内側が反射面（１３ａ）となる。このような断面形状であるケーシング（１１）の内側が下方に向かい開口する。
【００２１】
そして、前記延出部（１４）は、ケーシング（１１）の長手方向に延びる同一断面の形状であって、前記中央部（１２）から一対の側壁リブ（１５）が左右対称に下方に向かい鉛直より上向きの角度で互いに離隔するように垂下し、それぞれの下端に上向きに湾曲した円弧断面の底壁リブ（１６）が連結してなる。
【００２２】
ここで一対の底壁リブ（１６）の互いに対向した端縁間の隙間が、前記取付空間（１７）の開口溝（１７ａ）となり、前記一対の側壁リブ（１５）および底壁リブ（１６）で囲まれた内側が、前記取付空間（１７）の内部空隙（１７ｂ）となる。また、一対の側壁リブ（１５）の外面に沿って、前記光源（２０）を長手方向に並べて組み付ける。
【００２３】
このようにして、照明装置（１０，１０Ａ）のユニットは完成し、天井側に取り付けられる。かかる照明装置（１０，１０Ａ）では、下方に向けて間接光を照射する一方、天井に沿った両側方向に向けて直接光を照射する配光制御も可能となる。また、光源（２０）を前述した所定の配光向きに組み付ける延出部（１４）において、そのデッドスペースをそのまま前記表示装置（３０）を取り付けるための取付空間（１７）として生かすことができる。
【００２４】
また、前記一対の底壁リブ（１６）が両側方向に延びる長さの設計により、光源（２０）からの直接光ないし間接光の照射範囲を適宜定めることができ、さらに、光源（２０）を覆う保護カバー（２３）が万一破損した時に、その破片を受け入れるように設計することもできる。このような照明装置（１０，１０Ａ）は、鉄道車両（１）の客室内（２）における天井側の基準面より内側に、前記ケーシング（１１）を埋め込む状態に設置すると良い。
【００２５】
また、別のタイプの表示装置（４０）として、例えば前記［５］に記載したように、前記延出部（１４）を構成する一対の底壁リブ（１６）の下面側に沿って、各底壁リブ（１６）の互いに対向した端縁間の隙間を塞ぐ状態で表示装置（４０）を展開するように取り付けても良い。この場合の表示装置（４０）は、各底壁リブ（１６）の湾曲した外表面に沿って曲がるように可撓性を有する有機ＥＬ等で構成すると良い。
【００２６】
さらに、前記［６］に記載したように、前記ケーシング（１１）の延出部（１４）に取り付ける付属品として、前記表示装置（３０，４０）に加えて、香りを放出する芳香器を取り付けるようにしても良い。これにより、客室内（２）に不快な臭気がこもることを防止したり、乗客に対して癒しの効果を付加することもできる。
【発明の効果】
【００２７】
本発明に係る照明装置によれば、ケーシングの内側に生じた空きスペースを、表示装置の取り付け箇所として有効に活用することができ、また、表示装置を客室内のどの位置にいる乗客からも容易に視認できるようにし、さらに、照明装置に表示装置という付加価値を加えることにより、商品価値を高めることができると共に新たな情報提供も可能となる。
【図面の簡単な説明】
【００２８】
【図１】本発明の第１実施の形態に係る照明装置の一端部を拡大して示す端面図である。
【図２】本発明の第１実施の形態に係る照明装置を示す斜視図である。
【図３】本発明の第１実施の形態に係る照明装置を示す底面図である。
【図４】本発明の第１実施の形態に係る照明装置を示す平面図である。
【図５】本発明の第１実施の形態に係る照明装置を示す正面図である。
【図６】本発明の第１実施の形態に係る照明装置の直接光および間接光の照射範囲を模式的に示す端面図である。
【図７】本発明の第１実施の形態に係る照明装置を鉄道車両の客室内の天井部に取り付けた状態を概略的に示す断面図である。
【図８】本発明の第２実施の形態に係る照明装置の一端部を拡大して示す端面図である。
【図９】本発明の第２実施の形態に係る照明装置を示す斜視図である。
【図１０】本発明の第２実施の形態に係る照明装置を示す正面図である。
【図１１】本発明の第２実施の形態に係る照明装置を示す背面図である。
【図１２】本発明の第２実施の形態に係る照明装置を示す平面図である。
【図１３】本発明の第２実施の形態に係る照明装置を示す底面図である。
【図１４】本発明の第３実施の形態に係る照明装置の一端部を拡大して示す端面図である。
【発明を実施するための形態】
【００２９】
以下、図面に基づき、本発明を代表する各種実施の形態を説明する。  
図１〜図７は、本発明の第１実施の形態を示している。  
図１に示すように、照明装置１０は、天井側に取り付けられて下方に向かい内側が開口するケーシング１１を備え、該ケーシング１１に組み付けられた光源２０からの直接光がケーシング１１の内側で反射され、該反射された間接光によりケーシング１１の下方を間接的に照らすものである。かかる照明装置１０は、乗物の客室内２における天井部３に配置されるものであり、以下、鉄道車両１に適用した例について説明する。
【００３０】
図７に示すように、照明装置１０は、鉄道車両１の客室内２の天井部３に設置されるものであり、天井部３に沿って前後方向に延びるように設置される。照明装置１０は、長手方向に延びる複数のユニットが一列となるように順次繋がれている。ユニットの主要部をなすケーシング１１は、その開口側を下方に向けた状態で天井部３に設置されている。天井部３には、前後方向に延びる中心線を対称軸として、左右対称に並ぶ一対の凹溝３ａ，３ａが形成されており、それぞれの凹溝３ａにケーシング１１は埋設される。
【００３１】
図１〜図５に示すように、ケーシング１１の内側の所定箇所である中央部１２に沿って、下方に向かって一体に延出する延出部１４が形成されている。この延出部１４は、光源２０が所定の配光向きに組み付けられると共に、該光源２０からの直接光のうち下方に向かう照射範囲の一部を遮る部位である。このようなケーシング１１は、アルミニウム等の金属や不燃性の樹脂等により容易に押出し成形することができる形状となっている。
【００３２】
詳しく言えばケーシング１１は、長尺に延びる同一断面の形状であって、その長手方向に延びる中央部１２より両側に拡がり互いに平行に延びる両側部１３，１３は、それぞれ徐々に下向きに湾曲した円弧形断面に形成されて、該円弧形断面の内側が反射面１３ａとなっている。このようにケーシング１１は、その断面形状において左右一対となる反射面１３ａを内側に備えている。各反射面１３ａは、光反射効率が高くなる表面処理が施されている。具体的には例えば、白色塗料を塗布したり、あるいは鏡面加工しても良い。
【００３３】
ケーシング１１の中央部１２より垂下した延出部１４は、ケーシング１１の長手方向に延びる同一断面の形状であり、ケーシング１１と一体的に成形されている。かかる延出部１４は、後述する光源２０を組み付ける部位の他に、各種情報を表示可能な表示装置３０を取り付けるための取付空間１７を有している。詳しく言えば延出部１４は、前記中央部１２から一対の側壁リブ１５，１５が左右対称に下方に向かい鉛直より上向きの角度で互いに離隔するように垂下し、それぞれの下端に上向きに湾曲した円弧断面の底壁リブ１６，１６が連結してなる。
【００３４】
前記延出部１４のうち一対の底壁リブ１６，１６の互いに対向した端縁間の隙間が、前記取付空間１７の開口溝１７ａとなり、一対の側壁リブ１５，１５および一対の底壁リブ１６，１６で囲まれた内側が、前記取付空間１７の内部空隙１７ｂとなっている。このように延出部１４の取付空間１７は、下方を向く開口溝１７ａと、該開口溝１７ａの内側に拡がる内部空隙１７ｂを備え、表示装置３０を、内部空隙１７ｂに収納した状態に取り付けると共に、表示装置３０の画面３２を、開口溝１７ａより下方に露出させることができる。なお、表示装置３０については後述する。
【００３５】
また、ケーシング１１の両側部１３，１３の下端縁と、延出部１４の両底壁リブ１６，１６の上端縁とは、その間より次述する光源２０からの直接光を側方に照射できる位置関係に配置されている（図６参照）。ここでケーシング１１の中央部１２と延出部１４の底壁リブ１６との間は、光源２０の収納空間となっており、一対の側壁リブ１５，１５の外面に沿って光源２０が長手方向に並ぶように組み付けられている。なお、光源２０の種類は特に限定されないが、ＬＥＤであることが好ましい。ＬＥＤは小型であること、低消費電力であること、それに長寿命であるという利点を有する。
【００３６】
本実施の形態における光源２０は、細幅状に延びる基板２１上に表面実装型のＬＥＤチップ２２を等間隔に複数配列させて固定したものである。ここでＬＥＤチップ２２は、一般的であるので詳細な説明は省略するが、基板２１に対して直交する光軸を中心に所定角度の放射範囲で光を出射するタイプが用いられる。ＬＥＤチップ２２の発光色は任意に選択できる。基板２１はその一面が実装面であり、該実装面上にＬＥＤチップ２２が電気的に接続される配線回路が形成されている。なお、基板２１の実装面上には、ＬＥＤチップ２２を覆うように蛍光体層を積層させても良い。
【００３７】
図１に示すように、光源２０の基板２１は、前記各側壁リブ１５の外面に沿って、それぞれ上向きの角度で側方を向く状態に組み付けられている。詳しく言えば、各側壁リブ１５の上端が連なる中央部１２の両脇と、各側壁リブ１５の下端が連なる各底壁リブ１６の内側には、上下に対向する一対のレール溝１８ａ，１８ａが設けられており、各レール溝１８ａの間に、基板２１の両側端縁がそれぞれ摺動可能に嵌合している。
【００３８】
また、前記光源２０の前方には保護カバー２３が装着されている。この保護カバー２３は、前記基板２１と同じく細幅状に延びる同形状の平板状に形成されている。保護カバー２３の材質は、アクリル樹脂やＰＣ樹脂等の光透過性材料であれば特に限定されないが、加工の容易性等の理由からガラスではなく合成樹脂であることが好ましい。なお、保護カバー２３は無色透明の他、有色透明であっても良く、また、保護カバー２３に光拡散剤を含有させて、保護カバー２３内で積極的に光を拡散させても良い。
【００３９】
図１に示すように、保護カバー２３は、ケーシング１１の中央部１２と各底壁リブ１６の内側との間に沿って、それぞれ光源２０の基板２１を外側から囲む状態に装着されている。詳しく言えば、前記中央部１２の両端下方と、各底壁リブ１６の上端縁寄りの箇所に、上下に対向する一対のレール溝１８ｂ，１８ｂが設けられており、各レール溝１８ｂの間に、保護カバー２３の両側端縁がそれぞれ摺動可能に嵌合している。ここで保護カバー２３は、各底壁リブ１６の上端縁より内側に位置している。
【００４０】
このように、延出部１４の底壁リブ１６は、保護カバー２３の全域に対して鉛直方向に重なる位置まで少なくとも延出しており、保護カバー２３が万一破損した際に、その破片（溶融物も含む）を受け入れる形状に形成されている。ここで保護カバー２３は、水平面に対する垂直面をなすことから、下方から乗客の荷物等が直接的には当たりにくい構造となっており、また、万一何らかの衝撃が加わり破損した場合には、その破片は内側に向かうことになり、底壁リブ１６上に受け止められる。
【００４１】
本実施の形態における取付空間１７には、表示装置３０が別途取り付けられている。ここで表示装置３０は、細長く延びた立方体形のケース３１の片面側に画面３２を設けたものである。画面３２は、例えば発光ダイオードを平面状に密に配設したり、あるいは液晶ディスプレイや有機ＥＬ装置により構成する。ケース３１の内部には、電力供給用の電源基板、表示制御用の信号の送受部やコネクタ、それに制御回路等が収納される。画面３２に表示する各種情報は、前記制御回路によって表示制御されるが、外部からの表示制御指令に基づき、各種情報を表示制御するようにしても良い。
【００４２】
各種情報としては、例えば、電車の行き先案内や現在地点案内等の運行案内の他、動画コンテンツ、公衆無線網から受信するニュースや天気予報等と、様々なものが含まれる。ここで運行案内は、客室内２のドア上等に別途設けられている行き先表示装置に表示する情報をそのまま伝送して表示しても良い。また、観光列車等では表示装置３０の画面３２をイルミネーションのように発光表示することも考えられる。
【００４３】
表示装置３０は、図１に示すように、延出部１４にある取付空間１７の内部空隙１７ｂに収納した状態に取り付けられており、その画面３２は、取付空間１７の開口溝１７ａより下方に露出する下向きの状態に配されている。図１に示すように、延出部１４の各側壁リブ１５の下端が連なる各底壁リブ１６の内側には、左右に対向する一対のレール溝１８ｃ，１８ｃが設けられている。
【００４４】
各レール溝１８ｃの間に、表示装置３０の両側部を摺動可能に嵌合させることで、表示装置３０は取付空間１７に収納される。なお、表示装置３０は、照明装置１０の全長に亘る長さである必要はなく、適当な長さに分断した複数の表示装置３０を連なるように並べたり、あるいは図示したように照明装置１０の全長に亘る長さの１つの表示装置３０を用いても良い。
【００４５】
以上のような照明装置１０では、図６に示すように、光源２０から左右２方向へ照射された直接光は、それぞれ光源２０が対向する側にあるケーシング１１の側部１３の反射面１３ａにより反射され、下方の客室内２に向かうように設定されている。ただし、各反射面１３ａにより反射された間接光の一部は、延出部１４によって光源２０からの直接光と共に下方への照射が遮られる。
【００４６】
また、光源２０からの直接光のうち、ケーシング１１の両側部１３の下端縁と、延出部１４の底壁リブ１６の上端縁との間から側方に向かう直接光は、客室内２の天井部３と側壁面部４の境界付近に到達するように設定されている。天井部３と側壁面部４の境界に沿って額面広告６が展開されており、ケーシング１１の隙間より側方に出射された直接光は、額面広告６の全面に到達する。
【００４７】
次に、第１実施の形態に係る照明装置１０の作用について説明する。  
図７に示すように、本照明装置１０は、鉄道車両１の客室内２の天井部３に、ケーシング１１をその開口側を下方に向けて凹溝３ａ内に埋設する。照明装置１０は、ケーシング１１の中央部１２の上端面において、取付金具やネジ等の固定手段を介して凹溝３ａに取り付けられる。ここで、照明装置１０のユニットをなすケーシング１１を複数繋げることにより、所望の長さまで適宜延ばすことができる。
【００４８】
本実施の形態では、ケーシング１１の両側部１３の下端縁が天井部３の基準面と同じ高さ位置となるため、照明装置１０と天井部３の一体感が高まる。また、天井部３の中心線を対称軸として、左右対称に並ぶように一対の照明装置１０を設置するから、客室内２を左右両側からバランス良く広範囲に照らすことができる。なお、左右の照明装置１０は、それぞれ個別に点灯制御できるようにしても良い。
【００４９】
しかも、本照明装置１０では、光源２０にＬＥＤチップ２２を用いたことにより、所望の明るさを低い電力消費で得られる。また、蛍光灯等に比べて装置全体を小型化することができ、乗客に対しての圧迫感が少なく、客室内２に合わせて形状も自由にデザインすることが可能となる。また、ユニットの主要部をなすケーシング１１は、アルミニウム等の金属により容易に押出し成形することができる形状であり、製造コストも低減することができる。
【００５０】
図６に示すように、光源２０は主に側方に光を出射する配光向きでケーシング１１の延出部１４に組み付けられている。光源２０からの直接光のうち水平面より上向きの光は、ケーシング１１の両側部１３，１３の内側にある反射面１３ａによって下方へ反射される。この反射した間接光によって客室内２は照らされる。また、光源２０からの直接光のうち、ケーシング１１の開口より下方に向かう照射範囲の一部は、延出部１４によって遮られる。
【００５１】
これにより、光源２０からの直接光が客室内２（特に座席５のある領域）に届くことはなく、前述したように客室内２は反射面１３ａにより反射拡散された間接光によって照らされる。従って、客室内２における眩しさを低減して全体的に柔らかく照らすことができ、落ち着いた雰囲気が醸し出される。ここで延出部１４や反射面１３ａの形状を工夫することにより、客室内２での目的や用途に応じた様々な配光制御も可能となる。具体的な配光制御としては、客室内２を均一に照射したり、客室内２の通路や座席５等の特定部位を明るくしたりすること等が考えられる。
【００５２】
しかも、前記延出部１４は、単に光源２０を組み付けるための部位や、直接光ないし間接光を遮るための配光制御の部位であるだけでなく、各種情報を表示可能な表示装置３０を取り付けるための取付空間１７を有している。この取付空間１７を、予め確保された空きスペースとして、表示装置３０を取り付けるための用途に有効活用することができる。特に、本実施の形態に係るケーシング１１では、光源２０の配光向きの設計上、光源２０を取り付ける一対の側壁リブ１５，１５の間にデッドスペースが必然的に生じるため、このデッドスペースを、そのまま表示装置３０の取付空間１７として生かすことができる。
【００５３】
図１に示すように、前記取付空間１７は、下方を向く開口溝１７ａと、該開口溝１７ａの内側に拡がる内部空隙１７ｂを備える。これにより、表示装置３０の全体を内部空隙１７ｂに収納した状態に取り付けると共に、表示装置３０の画面３２だけを開口溝１７ａより下方に露出させることができる。よって、照明装置１０を表示装置３０としても活用することができる。特に照明装置１０は、客室内２の天井部３に沿って前後方向に延びるように設置されているため、表示装置３０は客室内２のどの位置にいる乗客からも容易に視認することが可能となる。
【００５４】
また、照明装置１０において、側壁面部４を向く側にある光源２０から側方に出射された光は、ケーシング１１の両側部１３の下端縁と、延出部１４の底壁リブ１６の上端縁との間を通り、そのまま直接光として、客室内２の天井部３と側壁面部４の境界付近まで到達する。そのため、図７に示すように、天井部３の基準面から側壁面部４に亘り曲がるように展開された額面広告６を、その全面に亘り直接光で明るく照らして目立たせることができる。
【００５５】
さらに、ケーシング１１には、光源２０を外側から覆う保護カバー２３を装着している。よって、光源２０から照射された光は保護カバー２３を透過することにより、光源２０の輝度が低減されて過度の強い光の照射を防止することができる。また、光源２０の故障の原因となり得る他の物体の接触を防ぎ、光源２０を保護することができる。ここで保護カバー２３は、水平面に対して垂直となる状態に取り付けられており、下からの物が触れることはあり得るが、保護カバー２３に対して衝撃が垂直方向から強く加わる可能性は低い。また、保護カバー２３の垂直面には埃がたまることもない。
【００５６】
保護カバー２３は合成樹脂で形成すれば、仮に乗客の荷物等が当たっても蛍光管のように容易に破損することはないが、保護カバー２３が予期せず外れたり万一破損した場合には、その破片は延出部１４の底壁リブ１６によって受け止められて客室内２に落下することはない。延出部１４は、ケーシング１１に一体成形されており、着脱自在な別部材のように外れる虞はない。かかる延出部１４の底壁リブ１６は、保護カバー２３の全域に対して鉛直方向に重なる位置まで少なくとも延出し、保護カバー２３が万一破損した際には、その破片を受け入れる形状に形成されている。
【００５７】
図８〜図１３は、本発明の第２実施の形態を示している。  
本実施の形態に係る照明装置１０Ａは、前述した第１実施の形態に係る照明装置１０と基本的な構成は共通するが、ケーシング１１の延出部１４に対する表示装置３０の取り付け態様が異なる。なお、第１実施の形態と同種の部位には同一符号を付して重複した説明を省略する。
【００５８】
本実施の形態では、表示装置３０のケース３１は、画面３２が側方を向く横向きの状態に配され、この状態におけるケース３１の上端側に沿って、保持手段である吊下金具３３が固定されている。この吊下金具３３を、取付空間１７の内部空隙１７ｂに収納した状態に取り付けると共に、表示装置３０の本体であるケース３１は、取付空間１７の開口溝１７ａより下方に垂下させる。ここで表示装置３０の画面３２は、客室内２でより広範囲から乗客が視認できる向きとなる車体中央を向くようにする。
【００５９】
図８に示すように、吊下金具３３は略Ｔ字形断面の部材からなり、その水平片３３ａより垂下する垂直片３３ｂの下端が前記ケース３１の上端側に固定される。また、前記延出部１４の各側壁リブ１５の下端が連なる各底壁リブ１６の内側には、左右に対向する一対のレール溝１８ｃ，１８ｃが設けられている。この各レール溝１８ｃの間に、吊下金具３３の水平片３３ａの両側端縁がそれぞれ摺動可能に嵌合する。吊下金具３３の長さは、表示装置３０の全長に亘る長さである必要はなく、表示装置３０の全長よりも短い長さのものを所定間隔おきに並べて固定するようにしても良い。
【００６０】
本実施の形態によれば、表示装置３０の画面３２全体をケーシング１１の外部に露出させることができるため、画面３２を客室内２のより広い範囲から容易に視認することが可能となる。ここで表示装置３０の画面３２は、ケース３１の片側だけでなく両側に設けるようにしても良い。なお、延出部１４から表示装置３０を外す場合には、ケーシング１１の一端側より吊下金具３３を抜き去れば良く、表示装置３０を取り外しての保守ないし点検作業も容易に行うことができる。
【００６１】
図１４は、本発明の第３実施の形態を示している。  
本実施の形態に係る照明装置１０Ｂは、前述した第２実施の形態に係る照明装置１０Ａとケーシング１１の形状も全く同一であるが、表示装置４０の構成が前記表示装置３０とは異なる。なお、第２実施の形態と同種の部位には同一符号を付して重複した説明を省略する。
【００６２】
本実施の形態では、前記ケーシング１１の延出部１４を構成する一対の底壁リブ１６の下面側に沿って、各底壁リブ１６の互いに対向した端縁間の隙間である開口溝１７ａを塞ぐ状態で、表示装置４０が展開するように取り付けられている。この表示装置４０は、各底壁リブ１６の湾曲した外表面に沿って曲がるように可撓性を有する有機ＥＬで構成されている。
【００６３】
表示装置４０を構成する有機ＥＬは、一般には、可撓性を有する透明なシート状の基板上に、陽極電極と陰極電極とをマトリクス状に配置してなる。この各電極が交差する部位に、赤、緑、青の各色を発光する各有機蛍光体薄膜を並列配置する。両電極間に電圧を印加することで、赤、緑、青の光の３原色が発光され、該光の３原色の加法混色によりフルカラー表示が可能となる。
【００６４】
本実施の形態によれば、延出部１４の外表面を広く利用しての表示装置４０の取り付けが可能となり、表示装置４０全体を延出部１４の外部に露出させることができる。しかも、表示装置４０が照明装置１０の下方に突出することがなく、乗客の邪魔になるような虞もない。なお、表示装置４０の長さは、照明装置１０の全長に亘る長さである必要はなく、照明装置１０Ｂの全長よりも短い長さのものを所定間隔おきに並べて配置しても良い。
【００６５】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、鉄道車両１の客室内２の天井部３に設置する例を説明したが、航空機や自動車等の他の乗物における客室内の間接照明に適用しても良い。また、ケーシング１１の具体的な形状も図示した例に限定されることはない。
【００６６】
また、天井部３に凹溝３ａを設けて、この凹溝３ａにケーシング１１を埋め込むように取り付けたが、天井部３に凹溝３ａを設けることなく、天井部３の基準面上にケーシング１１をそのまま出っ張る状態で取り付けても良い。また、前記各種実施の形態では、光源２０としてＬＥＤチップ２２を使用した例を説明したが、他に例えば、小型電球等を使用しても良い。さらに、保護カバー２３は、必ずしも設ける必要はなく省略してもかまわない。
【００６７】
また、前記表示装置３０の全体形状は図示した形状に限られることなく、また、前記保持手段も吊下金具３３に限られるものではなく、表示装置３０の上端側を吊り下げることができるものであれば何でも良い。さらに、前記延出部１４の取付空間１７には、前記表示装置３０，４０に加えて、香りを放出する芳香器を取り付けても良い。
【００６８】
ここで芳香器とは、単に芳香剤を収納した容器の類の他、別の箇所に設けた芳香剤の貯留部より導いた芳香剤を拡散する手段（例えば噴霧ノズル）であっても良い。また、芳香剤には消臭剤を含めたり、あるいは芳香剤の代わりに消臭剤を採用しても良い。このように、表示装置３０，４０に加えて芳香器も取り付けるようにすれば、客室内に不快な臭気がこもることを防止したり、乗客に対して癒しの効果を付加することもできる。
【産業上の利用可能性】
【００６９】
本発明に係る照明装置は、鉄道車両や航空機、自動車等の客室内の間接照明等に幅広く利用することができる。
【符号の説明】
【００７０】
１…鉄道車両
２…客室内
３…天井部
３ａ…凹溝
４…側壁面部
５…座席
６…額面広告
１０…照明装置
１０Ａ…照明装置
１０Ｂ…照明装置
１１…ケーシング
１２…中央部
１３…側部
１４…延出部
１５…側壁リブ
１６…底壁リブ
１７…取付空間
１７ａ…開口溝
１７ｂ…内部空隙
１８ａ…レール溝
１８ｂ…レール溝
１８ｃ…レール溝
２０…光源
２１…基板
２２…ＬＥＤチップ
２３…保護カバー
３０…表示装置
３１…ケース
３２…画面
３３…吊下金具
４０…表示装置
【図１】
2014049263.tif 000003
【図２】
2014049263.tif 000004
【図３】
2014049263.tif 000005
【図４】
2014049263.tif 000006
【図５】
2014049263.tif 000007
【図６】
2014049263.tif 000008
【図７】
2014049263.tif 000009
【図８】
2014049263.tif 000010
【図９】
2014049263.tif 000011
【図１０】
2014049263.tif 000012
【図１１】
2014049263.tif 000013
【図１２】
2014049263.tif 000014
【図１３】
2014049263.tif 000015
【図１４】
2014049263.tif 000016